(57)【要約】【課題】加熱装置使用中に扉を開けても加熱室内の熱気の放出を低減する使用性の高い加熱装置を提供する。【解決手段】加熱装置本体１に具備された加熱室２の扉３を加熱中に開けたとき、扉３の上方に設けた操作部６の下面に風向板１４を設け、加熱装置内部に電装部５の冷却を目的とする冷却ファンモータ７の冷却風を排気口９から排出せしめ、風向板１４の作用により、加熱室２からの熱気は、抑え込まれて、使用者側に放出されることを軽減できる。上記構成からこの加熱装置では、加熱中の使用者が扉３を開けた場合でも加熱室２からの熱気の放出が軽減されるため、使用者は不快感なく操作することができる。【選択図】図３
2010112638.tif 000002
【特許請求の範囲】
【請求項１】
被加熱物が収納される加熱室の前面に設けられた縦開き扉と、前記加熱室の上方前面側に設けられ、前記被加熱物の加熱条件を設定する回転収納式の操作部と、前記加熱室の上方に設けられ前記加熱条件に応じて前記被加熱物を加熱する電装部と、前記電装部を冷却する電装部冷却ファンと、前記電装部冷却ファンを用いて前記電装部からの熱気を排出するために前記扉と前記操作部との間に設けられた排気口とを備えたビルトイン対応型加熱調理器において、前記回転収納式の操作部は、回転させて引き出した場合に前記排気口からの排気の方向を下方に向ける風向板となる裏面側構造を有するビルトイン対応型加熱調理器。
【請求項２】
前記風向板が機能する状態となったことを検知する位置検出手段をさらに有し、前記風向板が機能する状態となったことを前記位置検出手段が検知すると、前記電装部冷却ファンの回転数を増加させる請求項１に記載のビルトイン対応型加熱調理器。
【請求項３】
前記加熱室の扉が開けられた状態となったことを検知するドアスイッチをさらに有し、前記扉が開けられたことを前記ドアスイッチが検知すると、前記電装部冷却ファンの回転数を増加させる請求項１に記載のビルトイン対応型加熱調理器。
【請求項４】
前記加熱室の扉に設けられたハンドルの内側に、人体を検出する人体検出手段をさらに設け、使用者が前記扉を開けようとしていることを前記人体検出手段が検知すると、前記電装部冷却ファンの回転数を増加させる請求項１に記載のビルトイン対応型加熱調理器。
【発明の詳細な説明】
【技術分野】
【０００１】
本発明はヒータやマイクロ波等によって被加熱物を加熱する加熱調理器に関し、特に収納家具等に組み込んで使用する場合に好適なビルトイン対応型加熱調理器に関する。
【背景技術】
【０００２】
一般にヒータやマイクロ波等によって被加熱物を加熱する加熱機器、例えば高周波加熱機器は機器の前面に加熱室に被加熱物を出し入れする回転自在の扉と加熱手段等の操作部が設けてある。また、機器電装部に冷却風を取り入れ、排出するための吸気口、排気口、ファンモータなどが備えられている。
【０００３】
従来、この種の加熱機器は主に操作部、制御部を冷却するためにダクトなど利用して操作部に風を当てているものや、操作部の一部分を排気口にして制御部等の排気を行っている（例えば、特許文献１参照）。
【特許文献１】特開２００５−３３２４号公報
【発明の開示】
【発明が解決しようとする課題】
【０００４】
しかしながら上記従来の加熱機器で被加熱物を加熱した場合、加熱中または加熱後に加熱室扉を開けた際、加熱室の熱気が漏れ出て使用者の使用状態によって危険が及ぶ可能性があるという課題があった。
【０００５】
本発明はこのような課題を解決したもので、機器操作部とドア上面との間に電装部からの熱気を通す排気口を設けると共に、操作部下部に設けられた風向板によって電装部からの排気を下方に押し曲げ、加熱室から上昇し使用者に当たる熱気を低減することの出来る加熱機器の提供を目的としたものである。
【課題を解決するための手段】
【０００６】
上記目的を達成するため、本発明にかかるビルトイン対応型加熱調理器は、被加熱物が収納される加熱室の前面に設けられた縦開き扉と、前記加熱室の上方前面側に設けられ、前記被加熱物の加熱条件を設定する回転収納式の操作部と、前記加熱室の上方に設けられ前記加熱条件に応じて前記被加熱物を加熱する電装部と、前記電装部を冷却する電装部冷却ファンと、前記電装部冷却ファンを用いて前記電装部からの熱気を排出するために前記扉と前記操作部との間に設けられた排気口とを備えたビルトイン対応型加熱調理器において、前記回転収納式の操作部は、回転させて引き出した場合に前記排気口からの排気の方向を下方に向ける風向板となる裏面側構造を有するものである。
【発明の効果】
【０００７】
本発明は使用者が被加熱物加熱中に不用意に扉を開けた際に、加熱室から放出される熱気が使用者に当たらないように、操作部下部の風向板により、電装部からの排気風を下方に押し下げることにより、加熱室からの熱気が上方に吹き上がることを低減する。
【発明を実施するための最良の形態】
【０００８】
第１の発明は、被加熱物が収納される加熱室の前面に設けられた縦開き扉と、前記加熱室の上方前面側に設けられ、前記被加熱物の加熱条件を設定する回転収納式の操作部と、前記加熱室の上方に設けられ前記加熱条件に応じて前記被加熱物を加熱する電装部と、前記電装部を冷却する電装部冷却ファンと、前記電装部冷却ファンを用いて前記電装部からの熱気を排出するために前記扉と前記操作部との間に設けられた排気口とを備えたビルト
イン対応型加熱調理器において、前記回転収納式の操作部は、回転させて引き出した場合に前記排気口からの排気の方向を下方に向ける風向板となる裏面側構造を有するものである。
【０００９】
これによって、扉を開けた際に加熱室の熱気が使用者に及ぶことを低減できる。
【００１０】
第２の発明は、前記風向板が機能する状態となったことを検知する位置検出手段をさらに有し、前記風向板が機能する状態となったことを前記位置検出手段が検知すると、前記電装部冷却ファンの回転数を増加させるものである。
【００１１】
これにより、電装部冷却ファンによる冷却風を増大させ、風向板による熱気排出方向を変更する機能を増大させることができる。
【００１２】
第３の発明は、第１の発明において、前記加熱室の扉が開けられた状態となったことを検知するドアスイッチをさらに有し、前記扉が開けられたことを前記ドアスイッチが検知すると、前記電装部冷却ファンの回転数を増加させるものである。
【００１３】
これにより、電装部冷却ファンによる冷却風を増大させ、風向板による熱気排出方向を変更する機能を増大させることができる。
【００１４】
第４の発明は、第１の発明において、前記加熱室の扉に設けられたハンドルの内側に、人体を検出する人体検出手段をさらに設け、使用者が前記扉を開けようとしていることを前記人体検出手段が検知すると、前記電装部冷却ファンの回転数を増加させるものである。
【００１５】
これにより、電装部冷却ファンによる冷却風を増大させ、風向板による熱気排出方向を変更する機能を増大させることができる。
【００１６】
以下、本発明の実施の形態を図面を参照しながら説明する。なお、この実施の形態によって本発明が限定されるものではない。
【００１７】
図１、図２はそれぞれ、本発明の実施の形態におけるビルトイン対応型加熱調理器の全体の断面図、操作部の断面図である。
【００１８】
図１、２において、加熱装置本体１には、ヒータあるいは高周波あるいはスチーム等の加熱手段（図示せず）によって被加熱物を加熱する加熱室２が設けられている。加熱室２を開閉する扉３には、扉中央上部にハンドル４が設けられ、使用者により開閉自在となっている。
【００１９】
ハンドル４の内面には人体検知手段４２が設けられている。加熱手段を収めた電装部５は、加熱装置本体１の適所に設けてある。加熱装置本体１の扉上方に設けられた操作部６からの入力に応じて、電装部５は加熱手段等を動作させる。
【００２０】
加熱装置内部には電装部５の冷却する冷却ファンモータ７と加熱室排気用ファン８とが設けられ、加熱装置前面の扉３と操作部６の間に冷却ファンモータ７から排出される排気口９が設けられる。加熱室２には加熱室用排気ファンの吸気口１０が設けられている。また、扉３の開閉を検知するドアスイッチ１１も設けられている。
【００２１】
この操作部６は回転格納式となっており、使用者が加熱装置を使用しない際は、操作部６を回転させ格納部１２に収納でき、加熱装置を使用する際には、操作部６を使用位置ま
で回転させる。この回転位置を検出するために、スイッチ１３が設けられている。
【００２２】
また、操作部６の下部（裏面側）に風向板１４が設けられ、この風向板１４は操作部６の後方より前方に向かい弧を描くように垂れ下がっている。また、垂れ下がっているため風向板１４の裏面に操作パネル１５を拡大することが出来、操作性も合わせて向上している。
【００２３】
図３は、扉３を開けた時の風向板１４の作用を示す断面図である。図３に示すように、この風向板１４の作用で、冷却ファンモータ７から出た排気風が加熱装置前面の排気口９から出た風が風向板１４により、上から加熱室方向に流れ込み、加熱中に扉３が開けられた際の加熱室２からの熱気は、抑え込まれて、使用者側に放出されることを軽減できる。
【００２４】
上記構成から明らかなようにこの加熱装置では、加熱中の使用者が扉を開けた場合でも加熱室からの熱気の放出が軽減されるため、使用者の不快感なく操作することができる。
【００２５】
そして使用者が回転式の操作部を使用位置とする時、位置検知スイッチ１３により操作部６が取り出されたという情報を電装部５に伝達することで、冷却ファンモータ７の回転数を増大させ、排気口９からの風量が増大し、加熱室からの熱気の放出が抑えられる。
【００２６】
また、使用者が扉３を開けた時、扉３が開けられたという情報をドアスイッチ１１の作用により電装部５に伝達することで、冷却ファンモータ７の回転数を増大させ、排気口９からの風量が増大し、加熱室２からの熱気の放出が抑えられる。
【００２７】
また、使用者が扉３を開けようとして、扉３に触れたとき、ドアハンドル４の人体検知手段４２からの情報を電装部５に伝達することで、冷却ファンモータ７の回転数を増大させ、排気口９からの風量が増大し、加熱室２からの熱気の放出が抑えられる。
【００２８】
逆に、上記、加熱室２から熱気が放出される状態において、上記各検知手段を電装部５に伝え、電装部５の制御により、加熱室排気用ファン８の回転数を減らすことで、加熱室２からの熱気そのものを減らすことにより、加熱室２からの熱気の放出が抑えられる。
【００２９】
上記実施の形態において、各機能を組み合わせて相乗的に加熱室２からの熱気の低減に利用できることは言うまでも無い。
【産業上の利用可能性】
【００３０】
本発明の加熱機器は、加熱室からの熱の放出を低減できるので、電子レンジや電気オーブンなどの用途に利用できる。
【図面の簡単な説明】
【００３１】
【図１】本発明の実施の形態におけるビルトイン対応型加熱調理器の全体の断面図
【図２】本発明の実施の形態におけるビルトイン対応型加熱調理器の主要部の断面図
【図３】扉３を開けた時の風向板１４の作用を示す断面図
【符号の説明】
【００３２】
１  加熱機器本体
２  加熱室
３  扉
４  ハンドル
５  電装部  
６  操作部
７  冷却ファンモータ
８  加熱室排気用ファン
９  排気口
１０  吸気口
１１  ドアスイッチ
１２  収納部
１３  位置検知スイッチ
１４  風向板
１５  操作パネル
４２  人体検知手段
【図１】
2010112638.tif 000003
【図２】
2010112638.tif 000004
【図３】
2010112638.tif 000005